(57)【要約】【課題】着用者の背中側のズボン上部とズボン着用者の身体との間に隙間が生じることを防止し、ズボン内部の下着又は着用者の肌が直接外部から見えないようにするとともに、その隙間から雪がズボン内部に浸入することを防止することができるズボンを提供すること。【解決手段】着用者の身体とズボン本体１０との間の空間を閉じた状態とするために、ズボン本体１０の内側に取り付けられ、上端部が着用者の身体に当接するように構成された補助片２０を、備えており、補助片２０は、ズボン本体１０の上部内側に下端部及び左右両端部が縫い付けられた連結部２１と、ズボン本体１０の上部内側において、下端部が連結部２１の上縁部に縫い付けられるとともに、ズボン上部１０の内周縁部よりも内側の離れた位置に配置されるように、左右両端部がズボン本体１０の上部内側に縫い付けられた当接部２２と、からなるところに特徴を有する。【選択図】図１
2005089922.tif 000002
【特許請求の範囲】
【請求項１】
着用者の身体とズボン本体との間の空間を閉じた状態とするために、ズボン本体の内側に取り付けられ、上端部が着用者の身体に当接するように構成された補助片を備えており、
前記補助片は、ズボン本体の上部内側に下端部及び左右両端部が縫い付けられた連結部と、
ズボン本体の上部内側において、下端部が前記連結部の上縁部に縫い付けられるとともに、ズボン上部の内周縁部よりも内側の離れた位置に配置されるように、左右両端部がズボン本体の上部内側に縫い付けられた当接部と、
からなることを特徴とするズボン。
【請求項２】
着用者の身体とズボン本体との間の空間を閉じた状態とするために、ズボン本体の内側に取り付けられ、上端部が着用者の身体に当接するように構成された補助片を備えており、
前記補助片は、ズボン本体の上部内側に下端部及び左右両端部が縫い付けられた連結部と、
ズボン本体の上部内側において、下端部が前記連結部の上縁部に縫い付けられるとともに、ズボン上部の内周縁部よりも内側であって、かつ、上端部が若干下方に離れた位置に配置されるように、左右両端部がズボン本体の上部内側に縫い付けられた当接部と、
からなることを特徴とするズボン。
【請求項３】
連結部は、少なくとも縦方向に伸縮可能なストレッチ素材からなることを特徴とする請求項１又は２に記載のズボン。
【請求項４】
当接部は、着用者の身体に常に当接するように、幅広の帯状ゴムからなることを特徴とする請求項１〜３の何れかに記載のズボン。
【請求項５】
着用者の身体とのフィット感を高めるために、連結部は、ギャザー、ダーツ、タックなどによりゆとりを持たせ着用者の運動に追随できるように構成されていることを特徴とする請求項１〜４の何れかに記載のズボン。
【請求項６】
少なくとも縦方向に伸縮可能なストレッチ素材からなる連結部の上縁部に対し、幅広の帯状ゴムからなる当接部を縫い付けて一体化し、
それらをズボン本体の背中側の上部内側において、当接部と着用者の背面との密着状態を維持するように、ズボン上部の内周縁部よりも内側の離れた位置に当接部が配置されるようにストレッチ素材からなる連結部の両端部及び下端部と、当接部の両端部をズボン本体の上部内側に縫い付けたことを特徴とするズボン。
【請求項７】
着用者の身体と当接部とのズレを防止するために、前記当接部の着用者側の面に滑り止め加工が施されていることを特徴とする請求項１〜６の何れかに記載のズボン。
【請求項８】
当接部は、連結部の内側になるように下端部が前記連結部の上端に縫い付けられていることを特徴とする請求項１〜７の何れかに記載のズボン。
【請求項９】
ズボン本体は、ズボン上部の背中側に形成されている背中側ウエスマンと、
ズボン上部の腹側に形成されている腹側ウエスマンと、を備えており、
前記背中側ウエスマンは、前記腹側ウエスマンの股上方向の長さより長く形成されていることを特徴とする請求項１〜８の何れかに記載のズボン。
【請求項１０】
着用者の身体とズボン本体との間の空間を閉じた状態とするためにズボン本体内に取り付けられて配置される布片の上縁部に対し、幅広の帯状ゴムを縫い付けて一体化する工程と、
それらをズボン本体の上部内側において、帯状ゴムと着用者の身体との密着状態を維持するように、ズボン上部の内周縁部よりも内側に離れた位置に幅広の帯状ゴムが配置されるように布片の両端部及び下端部と、帯状ゴムの両端部をズボン本体の上部内側に縫い付ける工程と、
からなることを特徴とするズボンの製造方法。
【発明の詳細な説明】
【技術分野】
【０００１】
本発明は、主にスキー、スノーボード用に最適なズボンでありながら、スキー等以外の日常一般的な用途にも使用できるズボン及びその製造方法に関するものである。
【背景技術】
【０００２】
近年、股上部分の寸法が短く形成されて、腰骨の付近にベルトが装着されるローウエストパンツ、ローライズパンツ、又はヒップハングと呼ばれているズボン（以下、「ローウエストパンツ等」と称す。）が愛好されるようになっている。
【０００３】
ローウエストパンツ等によれば、一般に、ズボンの臀部のまち部分が浅く、臀部におけるズボンと着用者との余裕が少なくなっているので、所謂小尻といわれるように、お尻が小さく足が長く見えるといわれている。例えば、概ねＳサイズの着用者の腰回りに対して、同サイズのＳサイズのズボンの腰回りにしてあり、腰回りの一番太い所であるヒップにズボンの上部が位置するように履くことになる。
【０００４】
つまり、ローウエストパンツ等は、上記のようにズボンの臀部の外観・スタイルを良くすることを優先した形状としてあり、腰回り及びヒップ回りに余裕が無く、例えば屈伸運動には向かない場合がある。ローウエストパンツ等をスキー用パンツ又はスノーボード用パンツに適用するするためには、少なくとも、ローウエストパンツ等のスタイルなどの特長を生かしつつ運動性を良くする必要があり、その為にはズボンの腰回りに余裕を持たせることが考えられる。
【０００５】
しかしながら、そもそもローウエストパンツ等においては、特に着用者が立ったり座ったりするときに、着用者の背中側のズボン上部と、ズボン着用者の身体との間に隙間が生じ、ズボン内部の下着又は肌が外部から見えてしまうという不都合があった。
【０００６】
また、股上が浅いためにスノーボードなどのウインタースポーツの際に、着用者の背中側のズボン上部とズボン着用者の身体との間に生じた隙間から冷気が侵入すると、身体の冷えを招き、また雪がズボン内部に浸入すると、奥の方まで入り込んでしまい、それを取り除くことができないため、下着を濡らしてしまうことがある。
【０００７】
一方で、スノーボード用パンツのように、スノーシーンでの使用をする場合には、上衣としてセーター等の厚手の生地の上衣を着用するために、必然的にズボンの腰回りに余裕が必要となり、このための余裕を腰回りに設けると、さらにズボンの上部に隙間が生じることになる。
【特許文献１】実開平１−１６８５１７号公報
【発明の開示】
【発明が解決しようとする課題】
【０００８】
したがって、本発明が解決しようとする問題点は、従来のズボンにおいてはローウエストパンツ等の外観・スタイルをそのままにしてズボンの腰回りに余裕を持たせると、さらにズボン内部の下着が外部から見えてしまう点と、着用者の背中側のズボン上部とズボン着用者の身体との間に生じた隙間から雪や冷気がズボン内部に浸入し、奥の方まで入り込んでしまい、それを取り除くことができない点である。
【０００９】
そこで、本発明は以上のような問題点に鑑みてなされたものであり、その目的は、着用者の背中側のズボン上部とズボン着用者の身体との間に隙間が生じることを防止し、ズボン内部の下着又は着用者の肌が直接外部から見えないようにするとともに、その隙間から雪や冷気がズボン内部に浸入することを防止することができるズボンを提供することである。
【課題を解決するための手段】
【００１０】
本願請求項１記載の発明に係るズボンは、図面に使用する符号を付して説明すると、「着用者Ｕの身体とズボン本体１０との間の空間を閉じた状態とするために、ズボン本体１０の内側に取り付けられ、上端部が着用者Ｕの身体に当接するように構成された補助片２０を備えており、前記補助片２０は、ズボン本体１０の上部内側に下端部及び左右両端部が縫い付けられた連結部２１と、ズボン本体１０の上部内側において、下端部が前記連結部２１の上縁部に縫い付けられるとともに、ズボン上部１０の内周縁部よりも内側の離れた位置に配置されるように、左右両端部がズボン本体１０の上部内側に縫い付けられた当接部２２と、からなる」ところに特徴を有するものである。
【００１１】
本願発明に係るズボン１００によれば、図１及び５に示すように、まず、スキー用パンツ又はスノーボード用パンツでありながら、通常のカジュアルパンツのように小尻で足が長く見えるシルエット、見栄えを備える。このように、優れた意匠性を害することなく、好適な運動性を備えた腰回りの余裕を有しつつ、ズボン着用者Ｕが立ったり座ったりするときに、着用者Ｕの背中側のズボン上部と、着用者Ｕの身体との間に生じる隙間空間を閉じた状態とし、優れた機能性を有する。
【００１２】
すなわち、自由端部である補助片２０の上端部が着用者Ｕの背面又は腰部に当接して、着用者Ｕの身体の背面とズボン本体１０の背中側の上部との間に生じる空間を閉じた状態にするのである。さらに、補助片２０の下端部及び左右両端部がズボン本体１０の内側に取り付けてあることにより、特にスノーボードなどのウインタースポーツの際に、着用者Ｕの背中側のズボン上部と着用者Ｕの身体との間に生じた隙間から雪、氷片、冷気等がズボン内部に浸入することを防止する。
【００１３】
さらに、補助片２０を連結部２１と当接部２２とからなる構成としたことにより、ズボン１００を着用した際に、当接部２２の摩擦力により着用者Ｕの背面又は腰部に当接してフィットし、着用者Ｕの身体と当接部２２との間に隙間が形成されるのを防止する。そして、連結部２１は、当接部２２の下端部に縫い付けられ、左右両端部がズボン本体１０の上部内側に縫い付けられているので、ズボン本体１０と当接部２２とを連結し、連結部２１と当接部２２とが優れた安定性を有する。
【００１４】
また、請求項２記載の発明に係るズボンは、「着用者Ｕの身体とズボン本体１０との間の空間を閉じた状態とするために、ズボン本体１０の内側に取り付けられ、上端部が着用者Ｕの身体に当接するように構成された補助片２０を備えており、前記補助片２０は、ズボン本体１０の上部内側に下端部及び左右両端部が縫い付けられた連結部２１と、ズボン本体１０の上部内側において、下端部が前記連結部２１の上縁部に縫い付けられるとともに、ズボン上部の内周縁部よりも内側であって、かつ、上端部が若干下方に離れた位置に配置されるように、左右両端部がズボン本体１０の上部内側に縫い付けられた当接部２２と、からなる」ところに特徴を有するものである。
【００１５】
すなわち、本願請求項２記載の発明に係るズボンによれば、当接部２２は、ズボン上部の内周縁部よりも内側であって、かつ、上端部が若干下方に離れた位置に配置されるように、左右両端部がズボン本体１０の上部内側に縫い付けられていることにより、請求項１記載の発明に係るズボンと同様の作用効果を奏するとともに、さらに、当接部２２全体をズボン１００の上部がすっぽり覆い、着用時に補助片２０が外部から見えないようにする作用を有するのである。
【００１６】
請求項３記載の発明に係るズボンは、請求項１又は２に記載のズボンにおいて、「連結部２１は、少なくとも縦方向に伸縮可能なストレッチ素材からなる」ところに特徴を有するものである。
【００１７】
すなわち、本願請求項３記載の発明に係るズボンによれば、連結部２１を少なくとも縦方向に伸縮可能なストレッチ素材とすることにより、ズボン着用の際に、当接部２２が着用者Ｕの身体に当接するとともに、連結部２１が、少なくとも縦方向に伸縮して着用者Ｕの身体とのフィット感を高めるのである。さらに、連結部２１が伸縮して当接部２２がズレることをも防止するのである。勿論、連結部２１を縦方向にも横方向にも伸びる縦横両方向に伸びる伸縮可能なストレッチ素材とするとさらに効果的であることはいうまでもない。
【００１８】
請求項４記載の発明に係るズボンは、請求項１〜３の何れかに記載のズボンにおいて、「当接部２２は、着用者Ｕの身体に常に当接するように、幅広の帯状ゴムからなる」ところに特徴を有するものである。
【００１９】
ここで、幅とは、股上方向の長さをいう（以下同じ。）。幅広とは、その幅が約３．０ｃｍ以上のものをいい、例えば、３．０ｃｍ、３．５ｃｍ、４．０ｃｍなどが挙げられる。特に、幅広の帯状ゴムは、その幅が約３．５ｃｍであると、身体に当接する部分が線でなく面であることに加えて、その表面積が適度な広さを有するので、帯状ゴムが着用者Ｕの身体を締め付けすぎず程良い締め付け力となる（締め付け防止）とともに、帯状ゴムのずり落ち防止になるので好ましい。一方、幅広の帯状ゴムからなる当接部２２のウエストの左右方向の長さ（以下、「横方向長さ」と称す。以下同じ。）は、帯状ゴムを伸ばさない元の状態でズボン１００のウエスト長さの約９０％〜４０％に形成すると良い。すなわち、当接部２２を幅広の帯状ゴムとすることにより、当接部２２の両端部間で横方向に伸縮して着用者の背面又は腰部に常に当接してフィットし、着用者Ｕの身体と当接部２２との間に隙間が形成されるのを防止する。
【００２０】
請求項５記載の発明に係るズボンは、請求項１〜４の何れかに記載のズボンにおいて、「着用者Ｕの身体とのフィット感を高めるために、連結部２１は、ギャザー、ダーツ、タックなどによりゆとりを持たせ着用者Ｕの運動に追随できるように構成されている」ところに特徴を有するものである。
【００２１】
ここで、ゆとりを持たせ着用者Ｕの運動に追随できるように構成するとは、ギャザー、ダーツ、タック、又は連結部２１の両端部のズボン本体１０への縫い付けを途中までで止めその縫製長さを連結部２１の幅より狭く形成する等の構成が挙げられる。ギャザーとは、連結部２１を縫い縮めて寄せ、ひだ状にした洋裁手段をいう。また、ダーツとは、略錐形のつまみ状にした洋裁手段をいう。タックとは、連結部２１をつまんだようにひだ状に折り曲げた洋裁手段のことをいう。これにより、縦方向に余裕を生み、身体にフィットし易い立体感を生み出す優れた機能性をもつ。
【００２２】
請求項６記載の発明に係るズボンは、「少なくとも縦方向に伸縮可能なストレッチ素材からなる連結部２１の上縁部に対し、幅広の帯状ゴムからなる当接部２２を縫い付けて一体化し、それらをズボン本体１０の背中側の上部内側において、当接部２２と着用者Ｕの背面との密着状態を維持するように、ズボン上部の内周縁部よりも内側の離れた位置に当接部２２が配置されるようにストレッチ素材からなる連結部２１の両端部及び下端部と、当接部２２の両端部をズボン本体１０の上部内側に縫い付けた」ところに特徴を有するものである。
【００２３】
すなわち、ズボン１００は、連結部２１と当接部２２とが一体化され、それらがズボン本体１０の上部内側に縫い付けられているものであることにより、ズボン本体１０の背中側の上部内側において、当接部２２と着用者Ｕの背面との密着状態を維持する。さらに、当接部２２が幅広の帯状ゴムからなるので、当接部２２が横方向に伸縮して、より身体に密着し易くなり、フィット感を高めることができるとともに、連結部２１が少なくとも縦方向に伸縮して着用者Ｕの身体と当接部２２との間に隙間が形成されるのを防止し、連結部２１と当接部２２とが優れた安定性を有する。
【００２４】
請求項７記載の発明に係るズボンは、請求項１〜６の何れかに記載のズボンにおいて、「着用者Ｕの身体と当接部２２とのズレを防止するために、前記当接部２２の着用者側の面に滑り止め加工が施されている」ところに特徴を有するものである。
【００２５】
ここで、滑り止め加工は、例えば、木綿、絹、皮革、革、ゴム、合成皮革、合成ゴム、合成樹脂等からなる布素材の着用者Ｕ側の面に形成する、ゴム又は合成樹脂等の凸凹、凹凸等の加工をいう。当接部２２の身体当接面である着用者Ｕ側の面に滑り止め加工を施すことにより、当接部２２の摩擦力がさらに強化され、身体との間のズレを防止し、非常に安定性が良い。さらに、滑り止め加工として、合成樹脂からなる素材を文字プリントするとファッション性を高め、好ましい。
【００２６】
請求項８記載の発明に係るズボンは、請求項１〜７の何れかに記載のズボンにおいて、「当接部２２は、連結部２１の内側になるように下端部が前記連結部２１の上端に縫い付けられている」ところに特徴を有するものである。
【００２７】
すなわち、連結部２１の内側とは、図３及び５に示すように、ズボン本体１０の内側であって、当接部２２よりもさらに着用者Ｕの身体側のことであり、当接部２２は、連結部２１のより身体側に配設されるように縫い付けられているのである。これにより、図５及び６に示すように、着用者Ｕの身体との間に当接部２２全面が密着し易くなるとともに、反対面である外側、つまり当接部２２のズボン本体１０側においては、当接部２２と連結部２１との縫着面ができ、例えば運動の際に、その当接部２２が外側から見えても縫着面が綺麗である。
【００２８】
請求項９記載の発明に係るズボンは、請求項１〜８の何れかに記載のズボンにおいて、「ズボン本体１０は、ズボン上部の背中側に形成されている背中側ウエスマン１１と、ズボン上部の腹側に形成されている腹側ウエスマン１２と、を備えており、前記背中側ウエスマン１１は、前記腹側ウエスマン１２の股上方向の長さより長く形成されている」ところに特徴を有するものである。
【００２９】
ここで、ウエスマンとは、図１に示すように、ウエストの一番上に付く帯状の切替し部位のことであり、例えばその幅は通常３．５ｃｍ程に形成してある。これに対して、ウエスマンがないズボンとしては、所謂帯無といわれ、ズボンの上まで同じ生地で用いられるものである。ウエスマンは、いかなる形状又はデザインのものであっても良く、例えば、図１に示すように、ループ（ベルト通し）３０が形成してあり、左右合わせ面にボタンが付いているものであっても良いし、ボタンが付いていない帯付であっても良いし、又はゴルフズボン等に多いタイプのループがない帯持ち出し付であっても良い。
【００３０】
請求項１０記載の発明に係るズボンの製造方法は、「着用者Ｕの身体とズボン本体１０との間の空間を閉じた状態とするためにズボン本体１０内に取り付けられて配置される布片の上縁部に対し、幅広の帯状ゴムを縫い付けて一体化する工程と、それらをズボン本体１０の上部内側において、帯状ゴムと着用者Ｕの身体との密着状態を維持するように、ズボン上部の内周縁部よりも内側に離れた位置に幅広の帯状ゴムが配置されるように布片の両端部及び下端部と、帯状ゴムの両端部をズボン本体１０の上部内側に縫い付ける工程と、からなる」ところに特徴を有する。
【００３１】
すなわち、まず、連結部２１となる布片の上縁部に対し、幅広の帯状ゴムからなる当接部２２を縫い付けて一体化し、補助片２０を形成するのである。そして、それらをズボン本体１０の上部内側に縫い付ける。この際、幅広の帯状ゴムと着用者Ｕの背面との密着状態を維持するように、ズボン本体１０上部の内周縁部よりも内側に離れた位置に幅広の帯状ゴムが配置されるように布片の両端部及び下端部と、帯状のゴムの両端部をズボン本体１０の上部内側に縫い付ける。これによれば、無駄な作業を要することなく、迅速にしかも外観上優れたズボンを製造することができる。さらに、連結部２１と当接部２２とを一体化する工程と、これらをズボン本体１０に縫い付ける工程とを別工程とすることができ、異なる場所でそれぞれの工程分を生産することができ、ロット生産できる。
【発明の効果】
【００３２】
請求項１記載の発明に係るズボンによれば、着用者の身体とズボン本体との間の空間を閉じた状態とするために、ズボン本体の内側に取り付けられ、上端部が着用者の身体に当接するように構成された補助片を備えており、前記補助片は、ズボン本体の上部内側に下端部及び左右両端部が縫い付けられた連結部と、ズボン本体の上部内側において、下端部が前記連結部の上縁部に縫い付けられるとともに、ズボン上部の内周縁部よりも内側の離れた位置に配置されるように、左右両端部がズボン本体の上部内側に縫い付けられた当接部と、からなることにより、着用者の背中側のズボン上部とズボン着用者の身体との間に隙間が生じることを防止し、ズボン内部の下着が外部から見えないようにするとともに、その隙間から雪、冷気がズボン内部に浸入することを防止し、下着を濡らしてしまうことを防止できるという効果を奏する。
【００３３】
請求項２記載の発明に係るズボンによれば、着用者の身体とズボン本体との間の空間を閉じた状態とするために、ズボン本体の内側に取り付けられ、上端部が着用者の身体に当接するように構成された補助片を備えており、前記補助片は、ズボン本体の上部内側に下端部及び左右両端部が縫い付けられた連結部と、ズボン本体の上部内側において、下端部が前記連結部の上縁部に縫い付けられるとともに、ズボン上部の内周縁部よりも内側であって、かつ、上端部が若干下方に離れた位置に配置されるように、左右両端部がズボン本体の上部内側に縫い付けられた当接部と、からなることにより、着用者の背中側のズボン上部とズボン着用者の身体との間に隙間が生じるのを防止し、よりズボン内部の下着が外部から見えないようにして、その隙間から雪、冷気がズボン内部に浸入することを防止することができるという優れた機能性を有するとともに、着用の際に幅広の帯状ゴムが外部から見えないので優れたファッション性を有するという効果を奏する。
【００３４】
請求項３記載のズボンによれば、請求項１又は２に記載のズボンの奏する効果に加えて、連結部は、少なくとも縦方向に伸縮可能なストレッチ素材からなることにより、ストレッチ素材からなる連結部が少なくとも縦方向に伸縮して、着用者の立ったり座ったりという動きに対して柔軟に追従することができ、着用者に優れたフィット感を与えるとともに、着用者の背中側のズボン上部とズボン着用者の身体との間に隙間が生じるのを防止し、ズボン内部の下着が外部から見えないようにするとともに、その隙間から雪、冷気がズボン内部に浸入することを防止することができるという効果を奏する。
【００３５】
請求項４記載のズボンによれば、請求項１〜３の何れかに記載のズボンの奏する効果に加えて、当接部は、着用者の身体に常に当接するように、幅広の帯状ゴムからなることにより、幅広の帯状ゴムが身体に密着するようになり着用者に優れたフィット感を与えるとともに、着用者の背中側のズボン上部とズボン着用者の身体との間に隙間が生じるのを防止し、ズボン内部の下着が外部から見えないようにするとともに、その隙間から雪、冷気がズボン内部に浸入することを防止することができるという効果を奏する。
【００３６】
請求項５記載のズボンによれば、請求項１〜４の何れかに記載のズボンの奏する効果に加えて、着用者の身体とのフィット感を高めるために、連結部は、ギャザー、ダーツ、タックなどによりゆとりを持たせ着用者の運動に追随できるように構成されていることにより、縦方向に余裕を生むという効果を奏する。
【００３７】
請求項６記載のズボンによれば、少なくとも縦方向に伸縮可能なストレッチ素材からなる連結部の上縁部に対し、幅広の帯状ゴムからなる当接部を縫い付けて一体化し、それらをズボン本体の背中側の上部内側において、当接部と着用者の背面との密着状態を維持するように、ズボン上部の内周縁部よりも内側の離れた位置に当接部が配置されるようにストレッチ素材からなる連結部の両端部及び下端部と、当接部の両端部をズボン本体の上部内側に縫い付けたことにより、幅広の帯状ゴムが身体に密着して優れた機能性を有する。
【００３８】
請求項７記載のズボンによれば、請求項１〜６の何れかに記載のズボンの奏する効果に加えて、着用者の身体と当接部とのズレを防止するために、前記当接部の着用者側の面に滑り止め加工が施されていることにより、着用者が立ったり座ったりする等の運動の際においても、幅広の帯状ゴムが身体からズレることを確実に防止でき、運動性能が良いという効果を奏する。
【００３９】
請求項８記載のズボンによれば、請求項１〜７の何れかに記載のズボンの奏する効果に加えて、当接部は、連結部の内側になるように下端部が前記連結部の上端に縫い付けられていることにより、当接部全体が着用者の身体に当接でき、ズレを防止するという優れた機能性を有するとともに、外側からみても縫製面が綺麗なため、優れたファッション性も有する。
【００４０】
請求項９記載のズボンによれば、請求項１〜８の何れかに記載のズボンの奏する効果に加えて、ズボン本体は、ズボン上部の背中側に形成されている背中側ウエスマンと、ズボン上部の腹側に形成されている腹側ウエスマンと、を備えており、前記背中側ウエスマンは、前記腹側ウエスマンの股上方向の長さより長く形成されていることにより、当接部が背中側ウエスマンの内部にすっぽり隠れ、ズボン着用時に当接部が外部から見えることを防止できるという効果を奏する。
【００４１】
請求項１０記載の発明に係るズボンによれば、着用者の身体とズボン本体との間の空間を閉じた状態とするためにズボン本体内に取り付けられて配置される布片の上縁部に対し、幅広の帯状ゴムを縫い付けて一体化する工程と、それらをズボン本体の上部内側において、帯状ゴムと着用者の身体との密着状態を維持するように、ズボン上部の内周縁部よりも内側に離れた位置に幅広の帯状ゴムが配置されるように布片の両端部及び下端部と、帯状ゴムの両端部をズボン本体の上部内側に縫い付ける工程と、からなることにより、連結部と帯状ゴムとを一体化してから、ズボン本体に縫い付けるので、手間なく大量生産でき、また各部のロット生産が可能であることから製造コストを低く抑えることができるという効果を奏する。
【発明を実施するための最良の形態】
【００４２】
本発明を実施するための最良の形態を実施例に基づき図を参照して説明する。本実施例は、本発明をスノーボード用ズボンに適用した例であり、図１は、本発明に係るズボンの外観を示す図である。図２は、ズボンの上部を構成する部品を示す図である。
【００４３】
ズボン１００は、ローウエストパンツ、又はヒップハングといわれている種類のパンツであり、スノーボード用でありながら、通常のカジュアルパンツと同様なシルエット、見栄えを備えている。ここで、ローウエストパンツ又はピップハングとは、股上の浅いパンツのことであり、例えば、通常のパンツより股上長さが約５ｃｍ程短く形成してあるパンツである。本実施例に係るズボン１００の股上長さは、約１８ｃｍ〜２０ｃｍの範囲内から選択してある。しかも、特に着用者が立ったり、座ったりしたときに着衣者の身体とズボン１００との間に隙間が生じるのを防止するズボンを提供するという目的を、最小の部品点数で、スノーシーンで快適、かつ、スタイリッシュであるための仕様を損なわずに備えたものである。本実施例のズボン１００は、ズボン本体１０，補助片２０，ベルト通し３０を備えている。
【００４４】
ズボン本体１０は、公知の技術であって、例えば防水性の表地と裏地と備えたものであっても良いし、その他いかなる素材又は形状からなるものであっても良い。さらに、ズボン本体１０の上方には、背中側ウエスマン１１及び腹側ウエスマン１２が形成してある。これらウエスマン１１，１２は、それぞれ裏地１３を備えており、ズボン１００のウエスト部を環状に構成し、それらの周縁の円周長さは、以下の表１に示すように、着用者のウエスト長さに応じた長さとしてある。さらに、ウエスマン１１，１２の下縁部で構成される下腰回り２の長さは、ウエスマン１１，１２の上縁部で構成される上腰回り１の長さより長く形成してありズボン上部を立体的に構成している。また、背中側ウエスマン１１の背中央部の幅は、腹側ウエスマン１２の幅より広くしてある。背中側ウエスマン１１は、その背中央部の幅がその両端部の幅より幅広く、左右方向に徐々に狭くなる帯状に形成してある。背中側ウエスマン１１の幅は、背中央部の幅が約６ｃｍであり、両端部の幅が約５ｃｍである。一方、腹側ウエスマン１２は、一定幅の帯状に形成してあり、その幅は約５ｃｍである。
【００４５】
【表１】
2005089922.tif 000003
補助片２０は、着用者の身体とズボン本体１０との間の空間を閉じた状態とするために、ズボン本体１０の内側に取り付けられ、補助片２０の上端部が着用者の身体に当接するように構成したものである。補助片２０は、連結部２１と、当接部２２とからなる。
【００４６】
連結部２１は、縦横両方向に伸縮可能なストレッチ素材からなる。連結部２１の幅は、背中側ウエスマン１１の幅より狭く約４ｃｍである。連結部２１の横方向長さは、ズボン１００のウエストサイズの約半分の長さとしてある。連結部２１の左右両端部は、ズボン１００の上部の内側の左右の脇にそれぞれ縫い付けてある。また、連結部２１の下端部は、背中側ウエスマン１１の裏地１３に縫い付けてある。図２に示すように、その裏地１３の下縁部に縫い付けるための連結部２１の下縁部の縫い代部の横方向長さ（以下、「縫代部２１ｄ」と称す。以下同じ。）は、ズボン本体１０の上縁部と縫い付けるための背中側ウエスマン１１の下縁部の縫い代部の長さ（以下、「後下腰回り１１ｂ」と称す。以下同じ。）と等しい。
【００４７】
当接部２２は、幅広の帯状ゴムからなり、ズボン本体１０の上部内側において、当接部２２の下端部が連結部２１に縫い付けられるとともに、背中央部において当接部２２がズボン上部の内周縁部よりも約３ｃｍ〜６ｃｍほど内側の離れた位置に配置されるように、当接部２２の左右両端部がズボン本体１０の上部内側の脇に縫い付けてある。当接部２２の幅は、約３．５ｃｍである。当接部２２の横方向長さは、上記表１に示すように、当接部２２が伸びた場合に十分対応できる横方向長さとしてある。当接部２２の下縁部に縫い付けるための連結部２１の上縁部の縫い代部の長さ（以下、「２ｗａｙストレッチ上り２１ｃ」と称す。以下同じ。）は、裏地１３の上縁部に縫い付けるための背中側ウエスマン１１の上縁部の縫い代部の長さ（以下、「後上腰回り１１ａ」と称す。以下同じ。）より長くしてある。しかも、後下腰回り１１ｂより短くしてある。ウエスマン１１，１２の上腰回り１で構成するズボン１００の内径と、当接部２２及び腹側ウエスマン１２で構成する身体に当接する部分の内径とのおよその差は、ズボン１００がＳサイズの場合には、約６ｃｍ、ズボン１００がＭサイズの場合には、約６．５ｃｍ、ズボン１００がＬサイズの場合には、約７ｃｍ、ズボン１００がＬサイズの場合には、約７．５ｃｍにしてある。
【００４８】
連結部２１と当接部２２との関係、又は当接部２２とズボン本体１０との関係は、次に示すとおりである。すなわち、横方向長さにおいて、当接部２２の横方向長さ（以下、「幅広ゴム上り２２ａ」と称す。以下同じ。）は、２ｗａｙストレッチ上り２１ｃに対して、約７６％〜７８％にしてある。また、幅広ゴム上り２２ａは、後上腰回り１１ａに対して、約８１％〜８４％にしてある。また、当接部２２及び腹側ウエスマン１２で構成するウエスト全周長さは、ズボン１００のウエスト全周長さに対して、約８５％〜９５％にしてある。
【００４９】
また、当接部２２の伸縮量は、およそ９ｃｍ〜１０．５ｃｍである。帯状ゴムの元の状態の当接部２２の長さは、約３１ｃｍ〜３４ｃｍとしてあり、帯状ゴムの伸びた状態の当接部２２の長さは、約４０ｃｍ〜４４．５ｃｍとしてある。
【００５０】
さらに、当接部２２の縦方向の高さ関係については、当接部２２がズボン１００上部の内周縁部よりも内側であって、かつ、上端部が若干下方に離れた位置に配置されるように、当接部２２の左右両端部をズボン本体１０の上部内側に縫い付けると、当接部２２全体を含むその若干上方をもズボン本体１０がすっぽり覆うことにより、着用時に当接部２２を外部から見えないようにすることができ効果的である。このズボン１００の上端部から若干下方に離れた位置は、当接部２２の上端部とズボン１００の上端部との差である当接部２２の下り量Ｘを、約２ｃｍ〜約４ｃｍの範囲から選択すると良い。勿論、当接部２２の下り量Ｘは、上記範囲に何ら限定されるものではなく、例えば約１ｃｍであっても良いし、約５ｃｍであっても良い。
【００５１】
ベルト通し３０は、公知の技術であって、例えば防水性の表地と同じ材質からなるものであっても良いし、その他いかなる素材であっても良い。また形状についても同様であり、いかなる形状であっても良い。
【００５２】
次に、本実施例のズボン１００の上部内側におけるズボン本体１０と補助片２０とを取り付ける製造方法について図２〜４を参照して詳細に説明する。その他の部分のズボン１００の製造方法は、公知のズボンの製造方法と変わらないため、ここでは割愛する。
【００５３】
まず、背中側ウエスマン１１，腹側ウエスマン１２，連結部２１，当接部２２を、上記表１に示す所定の大きさに形成する。そして、着用者の身体とズボン本体１０との間の空間を閉じた状態とするために連結部２１を構成する布片の上縁部に対し、当接部２２を構成する幅広の帯状ゴムを長さ方向（横方向長さ）に引っ張りながら縫い付けて一体化する。
【００５４】
当接部２２を、帯状ゴムを長さ方向に引っ張りながら連結部２１と一体化することにより、当接部２２が帯状ゴムの元の長さに戻っているときには、当接部２２が常に身体に当接する状態となり、かつ、連結部２１の上端部が縮んだ状態となり全体的に立体的になるのである。一方、当接部２２が伸びたときは、この伸びに伴って連結部２１の上端部も伸びた状態となり、連結部２１の横方向長さに連結部２１の伸び量を加えた長さまで伸びることができる。
【００５５】
また、図３及び６に示すように、当接部２１を、連結部２２の内側になるように当接部２１の下端部を連結部２２の上端に縫い付けると、外側からみても縫製面が綺麗なため、優れたファッション性も有する点で好ましい。
【００５６】
さらに、連結部２１の両端部をつまんだようにひだ状に折り曲げる所謂タック２１ａ，２１ｂ（図４参照）を施し、腹側ウエスマン１２と背中側ウエスマン１１の接合部であるズボン本体１０の上部ウエスト裏に挟み込む。すなわち、連結部２１と当接部２２とをズボン本体１０の上部内側において、帯状ゴムと着用者の身体との密着状態を維持するように、ズボン上部の内周縁部よりも内側に離れた位置に幅広の帯状ゴムが配置されるように布片の両端部及び下端部と、帯状ゴムの両端部をズボン本体１０の上部内側の脇に縫い付けるのである。これにより、連結部２１が立体的に形成され、縦方向に余裕を持たせることができ、身体とのフィット感を高めることができ効果的である。また、運動の際に、着用者の身体の動きに追随できるようにすることができる。
【００５７】
さらに、連結部２１の下端部と、背中側ウエスマン１１の裏地１３の下端部とを、地縫い用生地２３を用いてトリミングをすると、それらの下端部が整えられ、見栄えが良い。
【００５８】
最後に、背中側ウエスマン１１と腹側ウエスマン１２の上縁部を縫って、ズボン本体１０の上部のウエスト上を縫う。また、背中側ウエスマン１１と腹側ウエスマン１２の下縁部をステッチで押さえる。
【００５９】
以上の製造方法により、本実施例のズボン１００が完成する。
【００６０】
本実施例のズボン１００によれば、図５に示すように、例えば、従来のローウエストパンツ等のように、着用者Ｕがしゃがんだときにズボン１００の後ろのウエスト部分に三角コーナーのような隙間ができ、そこからショーツやガードルが見えたりすることがないのである。さらに、スキーやスノーボードのようなスキー場でのアクティビティにおいては、前記三角コーナーのような隙間から雪や氷片、冷気等が侵入することを防止できる。
【００６１】
また、このように、当接部２２を、伸縮性の帯状ゴムで構成し、当接部２２の幅を約３．５ｃｍと幅広に形成するとともに、当接部２２の横方向長さを連結部２１の横方向長さの約７６％〜７８％にし、当接部２２を横方向の長さ方向に引っ張りながら連結部２１に縫い付けてあるので、当接部２２が着用者Ｕの身体を締め付けすぎず締め付け防止になるとともに、適度な伸縮力を有してずり落ち防止になる。
【００６２】
特に本実施例のズボン１００においては、連結部２１及び当接部２２の両端部のズボン本体１０への取付位置を、ズボン本体１０の両脇としている。これにより、上記効果に加えて、販売店におけるズボン１００の陳列時のかけ面が不自然になってしまうことがなく、見栄えが良い。すなわち、連結部２１及び当接部２２の両端部を、ズボン本体１０の背中央部又は腹側中央部に取り付けた場合のように、当接部２２の横方向長さが短いために、当接部２２の伸縮力により、陳列の際のズボン１００の上端部が湾曲してしまうという不具合を防止できるのである。
【００６３】
さらに、ズボン本体１０の脇に補助片２０を取り付けることで、着用者Ｕの左右の腰から背側にのみ当接するように補助片２０を構成することができ、腹及び背の両方に当接するスパッツ等とは異なり、補助片２０の面積をズボン本体の後側のみとすることができ、コスト削減を図ることができ、ゴムの使用量を減らすことができる。
【００６４】
なお、本実施例のズボン１００は、図示しないが、着用者の膝裏に相当するズボン本体の膝裏部分に、屈伸時のあまり部分をつまんで地面と水平方向に一文字状に縫製した皺防止部が形成してある。これにより、特にスキー又はスノーボードを行っている際に、着衣者が立っている状態で膝裏側に余分な生地の弛みを防止し、立ち姿勢が細くスッキリとした美感を与える優れたファッション性を有するとともに、立ち姿勢の皺の発生を防止し、屈伸時には生地の余分がないので運動性能が良いという優れた機能性を有する。
【００６５】
以上、実施例に基づいて本発明を説明したが、本発明は上記実施例に何ら限定されるものではなく、本発明の趣旨を逸脱しない範囲内で種々の改良変形が可能である。
【００６６】
例えば、本実施例は、本発明をスノーボード用パンツに適用した例であるが、これに何ら限定されるものではなく、例えば、スキー用パンツに適用しても良いし、通常着用するカジュアルパンツに適用しても良い。
【００６７】
また、ズボン本体は、ウエスマンが形成してある本実施例に何ら限定されるものではなく、例えばズボン本体の上方にウエスマンが形成していない帯無しのズボン本体であっても良い。また、ウエスマンが形成してある場合においては、ボタンが付いていない、所謂標準タイプといわれているウエスマンであっても良いし、ループがなく、ボタンが付いた所謂帯持出し付といわれるウエスマンが形成してあっても良い。
【００６８】
さらに、ズボンの臀部に、略全体的にズボン本体の表地と裏地との間に綿層が形成してあると、転倒の際に前記綿層がクッション性を有するとともに、保温性がある。このため、臀部などの痛みやケガの発生を防止することができ、安心してスノーボードやスケートなどのスポーツに興じることができるとともに、冷えを防止することができる。
【００６９】
補助片は、本願発明の目的を達することができる範囲であれば、いかなる材質、形状であっても良く、例えば木綿、絹、皮革、革、ゴム、合成皮革、合成ゴム、合成樹脂等からなる素材であっても良いし、帯状であっても良いし、略三角形状であっても良いし、下着状に形成しても良い。
【００７０】
また、補助片の左右両端部のズボン本体への取付位置は、ズボン本体の上部内側であれば良く、例えば、本実施例のズボンのように腰の両脇であっても良いし、ズボン本体の背中の部分であっても良いし、腹側の部分であっても良い。
【図面の簡単な説明】
【００７１】
【図１】本発明に係るズボンの上部を示した斜視図である。
【図２】ズボンの上部を構成する部品を示した説明図である。
【図３】ズボンの上部内側と補助片とを縫い付けた状態を示す説明図である。
【図４】ズボンの上部を製造した後の状態を示す斜視図である。
【図５】着用者が腰をかがめた状態を示す斜視図である。
【図６】ズボンの上部内側を示す説明図である。
【符号の説明】
【００７２】
１              上腰回り
２              下腰回り
１０            ズボン本体
１１            背中側ウエスマン
１１ａ          後上腰回り
１１ｂ          後下腰回り
１２            腹側ウエスマン
１３            裏地
２０            補助片
２１            連結部
２１ａ，２１ｂ  タック
２１ｃ          ２ｗａｙストレッチ上り
２１ｄ          縫代部
２２            当接部
２２ａ          幅広ゴム上り
２３            地縫い用生地
３０            ベルト通し
１００          ズボン
Ｘ              下り量
【図１】
2005089922.tif 000004
【図２】
2005089922.tif 000005
【図３】
2005089922.tif 000006
【図４】
2005089922.tif 000007
【図５】
2005089922.tif 000008
【図６】
2005089922.tif 000009